(57)【要約】【課題】  店頭販売用の再生専用光ディスクのコンテンツを記録型光ディスクメディア用に変換して、ダウンロード配信に利用する。【解決手段】  オーサリング装置１０は、ＤＶＤパッケージメディア（ＤＶＤ−ＲＯＭ）１’から読み出したＤＶＤ−video形式のコンテンツ情報Ｃ’をＶＲ形式に変換し、得られたコンテンツ情報Ｃをコンテンツ鍵情報Ｋｃに基づいて暗号化し、暗号化コンテンツ情報Ｅｎｃ（Ｋｃ，Ｃ）及び付加情報ｄを記録型ＤＶＤメディア３に書き込む。配信装置３０は、記録型ＤＶＤメディア３から読み出した暗号化コンテンツ情報及び付加情報を暗号化コンテンツ記憶部３２に書き込む。これにより、配信装置では、ダウンロード要求に基づいて、暗号化コンテンツ情報及び付加情報をダウンロード配信可能となる。【選択図】  図１
2007318618.tif 000002
【特許請求の範囲】
【請求項１】
第１形式のコンテンツ情報が記録された再生専用光ディスクと、前記第１形式とは異なる第２形式を有する第１及び第２の記録型光ディスクとを順次又は同時に保持可能なコンテンツオーサリング装置と、ダウンロード要求に基づいて、配信用記憶装置内の該当する記憶内容をダウンロード配信可能な配信装置と、暗号化及び復号用のコンテンツ鍵情報を管理用記憶装置に記憶して管理する鍵管理装置とを備えたコンテンツ配信システムであって、
前記コンテンツオーサリング装置は、
前記再生専用光ディスクを保持しているとき、前記再生専用光ディスクから前記第１形式のコンテンツ情報を読み出すための手段と、
前記読み出した第１形式のコンテンツ情報が書き込まれる記憶装置と、
前記記憶装置内の第１形式のコンテンツ情報を変換し、前記第２形式のコンテンツ情報を得る手段と、
前記コンテンツ情報の付加情報を作成する手段と、
前記コンテンツ鍵情報を生成する手段と、
前記コンテンツ鍵情報に基づいて、前記第２形式のコンテンツ情報を暗号化し、暗号化コンテンツ情報を得る手段と、
前記第１の記録型光ディスクを保持しているとき、前記暗号化コンテンツ情報及び前記付加情報を当該第１の記録型光ディスクに書き込む手段と、
前記第２の記録型光ディスクを保持しているとき、前記コンテンツ鍵情報を当該第２の記録型光ディスクのメディア固有情報に基づいて暗号化し、暗号化コンテンツ鍵情報を得る手段と、
前記暗号化コンテンツ鍵情報及び前記付加情報を前記第２の記録型光ディスクメディアに書き込む手段とを備えており、
前記配信装置は、
前記コンテンツオーサリング装置による書き込み後の第１の記録型光ディスクを保持するとき、当該第１の記録型光ディスクから暗号化コンテンツ情報及び付加情報を読み出す手段と、
前記読み出した暗号化コンテンツ情報及び付加情報を前記配信用記憶装置に書き込む手段とを備えており、
前記鍵管理装置は、
前記コンテンツオーサリング装置による書き込み後の第２の記録型光ディスクを保持するとき、当該第２の記録型光ディスクからメディア固有情報、暗号化コンテンツ鍵情報及び付加情報を読み出す手段と、
前記読み出したメディア固有情報に基づいて、暗号化コンテンツ鍵情報を復号し、コンテンツ鍵情報を得る手段と、
前記コンテンツ鍵情報及び付加情報を前記管理用記憶装置に書き込む手段とを備えたことを特徴とするコンテンツ配信システム。
【請求項２】
第１形式のコンテンツ情報が記録された再生専用光ディスクと、前記第１形式とは異なる第２形式を有する第１及び第２の記録型光ディスクとを順次又は同時に保持可能なコンテンツオーサリング装置であって、
前記再生専用光ディスクを保持しているとき、前記再生専用光ディスクから前記第１形式のコンテンツ情報を読み出すための手段、
前記読み出した第１形式のコンテンツ情報が書き込まれる記憶装置と、
前記記憶装置内の第１形式のコンテンツ情報を変換し、前記第２形式のコンテンツ情報を得る手段と、
暗号化及び復号用のコンテンツ鍵情報を生成する手段と、
前記コンテンツ鍵情報に基づいて、前記第２形式のコンテンツ情報を暗号化し、暗号化コンテンツ情報を得る手段と、
前記第１の記録型光ディスクを保持しているとき、前記暗号化コンテンツ情報を当該第１の記録型光ディスクに書き込む手段と、
前記第２の記録型光ディスクを保持しているとき、前記コンテンツ鍵情報を当該第２の記録型光ディスクのメディア固有情報に基づいて暗号化し、暗号化コンテンツ鍵情報を得る手段と、
前記暗号化コンテンツ鍵情報を前記第２の記録型光ディスクメディアに書き込む手段と
を備えたことを特徴とするコンテンツオーサリング装置。
【請求項３】
ダウンロード要求に基づいて、記憶装置内の該当する記憶内容をダウンロード配信可能な配信装置であって、
配信対象の暗号化コンテンツ情報及び付加情報が書き込まれた第１の記録型光ディスクを保持するとき、当該第１の記録型光ディスクから暗号化コンテンツ情報及び付加情報を読み出す手段と、
前記読み出した暗号化コンテンツ情報及び付加情報を前記記憶装置に書き込む手段と
を備えたことを特徴とする配信装置。
【請求項４】
コンテンツ鍵情報を記憶装置に記憶して管理する鍵管理装置であって、
メディア固有情報を有し、当該メディア固有情報により暗号化されてなる暗号化コンテンツ鍵情報及び付加情報が書き込まれた第２の記録型光ディスクを保持するとき、当該第２の記録型光ディスクからメディア固有情報、暗号化コンテンツ鍵情報及び付加情報を読み出す手段と、
前記読み出したメディア固有情報に基づいて、暗号化コンテンツ鍵情報を復号し、コンテンツ鍵情報を得る手段と、
前記コンテンツ鍵情報及び付加情報を前記記憶装置に書き込む手段と
を備えたことを特徴とする鍵管理装置。
【請求項５】
第１形式のコンテンツ情報が記録された第１の再生専用光ディスクと、第１形式の広告コンテンツ情報が記録された第２の再生専用光ディスクと、前記第１形式とは異なる第２形式を有する第１乃至第３の記録型光ディスクとを順次又は同時に保持可能なコンテンツオーサリング装置であって、
前記第１の再生専用光ディスクを保持しているとき、前記再生専用光ディスクから前記第１形式のコンテンツ情報を読み出すための手段と、
前記読み出した第１形式のコンテンツ情報が書き込まれる記憶装置と、
前記記憶装置内の第１形式のコンテンツ情報を変換し、前記第２形式のコンテンツ情報を得る手段と、
前記第２の再生専用光ディスクを保持しているとき、前記再生専用光ディスクから前記第１形式の広告コンテンツ情報を読み出すための手段と、
前記読み出した第１形式の広告コンテンツ情報を前記記憶装置に書き込む手段と、
前記記憶装置内の第１形式の広告コンテンツ情報を変換し、前記第２形式の広告コンテンツ情報を得る手段と、
暗号化及び復号用のコンテンツ鍵情報を生成する手段と、
前記コンテンツ鍵情報に基づいて、前記第２形式のコンテンツ情報を暗号化し、暗号化コンテンツ情報を得る手段と、
前記第１の記録型光ディスクを保持しているとき、前記暗号化コンテンツ情報を当該第１の記録型光ディスクに書き込む手段と、
前記第２の記録型光ディスクを保持しているとき、前記コンテンツ鍵情報を当該第２の記録型光ディスクのメディア固有情報に基づいて暗号化し、暗号化コンテンツ鍵情報を得る手段と、
前記暗号化コンテンツ鍵情報を前記第２の記録型光ディスクメディアに書き込む手段と、
前記第２形式の広告コンテンツ情報を前記第３の記録型光ディスクメディアに書き込む手段と
を備えたことを特徴とするコンテンツオーサリング装置。
【請求項６】
第１形式のコンテンツ情報が記録された再生専用光ディスクと、前記第１形式とは異なる第２形式を有する第１及び第２の記録型光ディスクとを順次又は同時に保持可能であり、記憶装置を備えたコンテンツオーサリング装置に用いられるプログラムであって、
前記コンテンツオーサリング装置のコンピュータを、
前記再生専用光ディスクを保持しているとき、前記再生専用光ディスクから前記第１形式のコンテンツ情報を読み出すための手段、
前記読み出した第１形式のコンテンツ情報を前記記憶装置に書き込む手段、
前記記憶装置内の第１形式のコンテンツ情報を変換し、前記第２形式のコンテンツ情報を得る手段、
暗号化及び復号用のコンテンツ鍵情報を生成する手段、
前記コンテンツ鍵情報に基づいて、前記第２形式のコンテンツ情報を暗号化し、暗号化コンテンツ情報を得る手段、
前記第１の記録型光ディスクを保持しているとき、前記暗号化コンテンツ情報を当該第１の記録型光ディスクに書き込む手段、
前記第２の記録型光ディスクを保持しているとき、前記コンテンツ鍵情報を当該第２の記録型光ディスクのメディア固有情報に基づいて暗号化し、暗号化コンテンツ鍵情報を得る手段、
前記暗号化コンテンツ鍵情報を前記第２の記録型光ディスクメディアに書き込む手段、
として機能させるためのプログラム。
【請求項７】
請求項６に記載のプログラムにおいて、
前記コンピュータを、
前記コンテンツ情報の付加情報を作成する手段、
前記第１の記録型光ディスクを保持しているとき、前記暗号化コンテンツ情報と共に、前記付加情報を当該第１の記録型光ディスクに書き込む手段、
前記第２の記録型光ディスクを保持しているとき、前記暗号化コンテンツ鍵情報と共に、前記付加情報を当該第２の記録型光ディスクに書き込む手段、
として機能させるためのプログラム。
【請求項８】
ダウンロード要求に基づいて、記憶装置内の該当する記憶内容をダウンロード配信可能な配信装置に用いられるプログラムであって、
前記配信装置のコンピュータを、
配信対象の暗号化コンテンツ情報及び付加情報が書き込まれた第１の記録型光ディスクを保持するとき、当該第１の記録型光ディスクから暗号化コンテンツ情報及び付加情報を読み出す手段、
前記読み出した暗号化コンテンツ情報及び付加情報を前記記憶装置に書き込む手段、
として機能させるためのプログラム。
【請求項９】
コンテンツ鍵情報を記憶装置に記憶して管理する鍵管理装置に用いられるプログラムであって、
前記鍵管理装置のコンピュータを、
メディア固有情報を有し、当該メディア固有情報により暗号化されてなる暗号化コンテンツ鍵情報及び付加情報が書き込まれた第２の記録型光ディスクを保持するとき、当該第２の記録型光ディスクからメディア固有情報、暗号化コンテンツ鍵情報及び付加情報を読み出す手段、
前記読み出したメディア固有情報に基づいて、暗号化コンテンツ鍵情報を復号し、コンテンツ鍵情報を得る手段、
前記コンテンツ鍵情報及び付加情報を前記記憶装置に書き込む手段、
として機能させるためのプログラム。
【請求項１０】
ダウンロード要求に基づいて、記憶装置内の該当する記憶内容をダウンロード配信可能な配信装置に用いられるプログラムであって、
前記配信装置のコンピュータを、
配信対象の付加情報をネットワークを介して受け付ける手段、
前記付加情報を前記記憶装置に書き込む手段、
配信対象の暗号化コンテンツ情報が書き込まれた第１の記録型光ディスクを保持するとき、当該第１の記録型光ディスクから暗号化コンテンツ情報を読み出す手段、
前記読み出した暗号化コンテンツ情報を前記付加情報に関連付けて前記記憶装置に書き込む手段、
として機能させるためのプログラム。
【請求項１１】
コンテンツ鍵情報を記憶装置に記憶して管理する鍵管理装置に用いられるプログラムであって、
前記鍵管理装置のコンピュータを、
配信対象の付加情報を受信する手段、
前記付加情報を前記記憶装置に書き込む手段、
メディア固有情報を有し、当該メディア固有情報により暗号化されてなる暗号化コンテンツ鍵情報が書き込まれた第２の記録型光ディスクを保持するとき、当該第２の記録型光ディスクからメディア固有情報及び暗号化コンテンツ鍵情報を読み出す手段、
前記読み出したメディア固有情報に基づいて、暗号化コンテンツ鍵情報を復号し、コンテンツ鍵情報を得る手段、
前記コンテンツ鍵情報を前記付加情報に関連付けて前記記憶装置に書き込む手段、
として機能させるためのプログラム。
【請求項１２】
第１形式のコンテンツ情報が記録された第１の再生専用光ディスクと、第１形式の広告コンテンツ情報が記録された第２の再生専用光ディスクと、前記第１形式とは異なる第２形式を有する第１乃至第３の記録型光ディスクとを順次又は同時に保持可能であり、記憶装置を備えたコンテンツオーサリング装置に用いられるプログラムであって、
前記コンテンツオーサリング装置のコンピュータを、
前記第１の再生専用光ディスクを保持しているとき、前記再生専用光ディスクから前記第１形式のコンテンツ情報を読み出すための手段、
前記読み出した第１形式のコンテンツ情報を前記記憶装置に書き込む手段、
前記記憶装置内の第１形式のコンテンツ情報を変換し、前記第２形式のコンテンツ情報を得る手段、
前記第２の再生専用光ディスクを保持しているとき、前記再生専用光ディスクから前記第１形式の広告コンテンツ情報を読み出すための手段、
前記読み出した第１形式の広告コンテンツ情報を前記記憶装置に書き込む手段、
前記記憶装置内の第１形式の広告コンテンツ情報を変換し、前記第２形式の広告コンテンツ情報を得る手段、
暗号化及び復号用のコンテンツ鍵情報を生成する手段、
前記コンテンツ鍵情報に基づいて、前記第２形式のコンテンツ情報を暗号化し、暗号化コンテンツ情報を得る手段、
前記第１の記録型光ディスクを保持しているとき、前記暗号化コンテンツ情報を当該第１の記録型光ディスクに書き込む手段、
前記第２の記録型光ディスクを保持しているとき、前記コンテンツ鍵情報を当該第２の記録型光ディスクのメディア固有情報に基づいて暗号化し、暗号化コンテンツ鍵情報を得る手段、
前記暗号化コンテンツ鍵情報を前記第２の記録型光ディスクメディアに書き込む手段、
前記第２形式の広告コンテンツ情報を前記第３の記録型光ディスクメディアに書き込む手段、
として機能させ、
前記第２形式の広告コンテンツ情報は、前記コンテンツ鍵情報に基づいて暗号化されて暗号化広告コンテンツ情報となり、前記暗号化広告コンテンツ情報は、前記暗号化コンテンツ情報に付随して配信される情報であるプログラム。
【請求項１３】
請求項１２に記載のプログラムにおいて、
前記コンピュータを、
前記コンテンツ情報の付加情報を作成する手段、
前記第１の記録型光ディスクを保持しているとき、前記暗号化コンテンツ情報と共に、前記付加情報を当該第１の記録型光ディスクに書き込む手段、
前記第２の記録型光ディスクを保持しているとき、前記暗号化コンテンツ鍵情報と共に、前記付加情報を当該第２の記録型光ディスクに書き込む手段、
として機能させるためのプログラム。
【発明の詳細な説明】
【技術分野】
【０００１】
本発明は、コンテンツを配信するコンテンツ配信システム、装置及びプログラムに係り、特に、店頭販売用の再生専用光ディスクのコンテンツを記録型光ディスクメディア用に変換してダウンロード配信に利用し得るコンテンツ配信システム、装置及びプログラムに関する。
【背景技術】
【０００２】
通常、コンテンツ配信システムでは、著作権を保護する観点から、正当な利用者には復号可能なように、暗号化されたコンテンツが記録された光ディスクとして、例えば、ＤＶＤメディアを配信している。
【０００３】
この種のコンテンツ配信システムでは、暗号化コンテンツを記録した再生専用光ディスクとして、例えば、ＤＶＤ−ＲＯＭをマスターディスクとして店頭販売する。また、コンテンツ配信システムとしては、マスターディスクであるＤＶＤ−ＲＯＭの店頭販売に限らず、マスターディスクのコピーをダウンロード配信する場合が考えられる。
【０００４】
この場合、ユーザ機器のＤＶＤレコーダ側では、ダウンロード要求をコンテンツプロバイダに送信し、ダウンロードした暗号化コンテンツを記録型光ディスクとしての記録型ＤＶＤメディアにコピーする形態になると考えられる。ここで、暗号化コンテンツがマスターディスクのコピーに相当し、コンテンツ鍵が個々のＤＶＤメディアに応じて再暗号化された形式になっている。
【０００５】
また、暗号化コンテンツは、広告コンテンツを含む場合、コンテンツに広告コンテンツを付与し、得られた広告付きのコンテンツをコンテンツ鍵により暗号化して生成される。
【非特許文献１】「東芝レビュー」、株式会社東芝、２００３年６月１日、第５８巻第６号、インターネット＜ URL :http://www.toshiba.co.jp/tech/review/2003/06/index_j.htm
【発明の開示】
【発明が解決しようとする課題】
【０００６】
しかしながら、以上のようなコンテンツ配信システムでは、マスターディスクが店頭販売されるＤＶＤ−ＲＯＭメディアであり、ＤＶＤレコーダ側でコピーに使用するメディアが記録型ＤＶＤメディアであるので、コンテンツの記録方式が異なる。このため、店頭販売用のマスターディスクのコピーをダウンロード配信することはできない状況にある。
【０００７】
また、マスターディスクに記録されたコンテンツは店頭販売用の形式であり、ダウンロード配信用として使用するには付加情報が必要となる。
【０００８】
また、コンテンツに広告コンテンツが付随する場合、市場状況に応じて広告コンテンツを差し替えていく必要がある。しかしながら、前述したコンテンツ配信方式では、広告付きのコンテンツの暗号化により暗号化コンテンツが生成されるため、後での広告コンテンツの差し替えが困難となっている。
【０００９】
本発明は上記実情を考慮してなされたもので、店頭販売用の再生専用光ディスクのコンテンツを記録型光ディスクメディア用に変換して、ダウンロード配信に利用し得るコンテンツ配信システム、装置及びプログラムを提供することを目的とする。
【００１０】
本発明の他の目的は、コンテンツに広告コンテンツが付随する場合、広告コンテンツの差し替えを容易にし得るプログラムを提供することを目的とする。
【課題を解決するための手段】
【００１１】
第１の発明は、第１形式のコンテンツ情報が記録された再生専用光ディスクと、前記第１形式とは異なる第２形式を有する第１及び第２の記録型光ディスクとを順次又は同時に保持可能なコンテンツオーサリング装置と、ダウンロード要求に基づいて、配信用記憶装置内の該当する記憶内容をダウンロード配信可能な配信装置と、暗号化及び復号用のコンテンツ鍵情報を管理用記憶装置に記憶して管理する鍵管理装置とを備えたコンテンツ配信システムであって、前記コンテンツオーサリング装置としては、前記再生専用光ディスクを保持しているとき、前記再生専用光ディスクから前記第１形式のコンテンツ情報を読み出すための手段と、前記読み出した第１形式のコンテンツ情報が書き込まれる記憶装置と、前記記憶装置内の第１形式のコンテンツ情報を変換し、前記第２形式のコンテンツ情報を得る手段と、前記コンテンツ情報の付加情報を作成する手段と、前記コンテンツ鍵情報を生成する手段と、前記コンテンツ鍵情報に基づいて、前記第２形式のコンテンツ情報を暗号化し、暗号化コンテンツ情報を得る手段と、前記第１の記録型光ディスクを保持しているとき、前記暗号化コンテンツ情報及び前記付加情報を当該第１の記録型光ディスクに書き込む手段と、前記第２の記録型光ディスクを保持しているとき、前記コンテンツ鍵情報を当該第２の記録型光ディスクのメディア固有情報に基づいて暗号化し、暗号化コンテンツ鍵情報を得る手段と、前記暗号化コンテンツ鍵情報及び前記付加情報を前記第２の記録型光ディスクメディアに書き込む手段とを備えており、前記配信装置としては、前記コンテンツオーサリング装置による書き込み後の第１の記録型光ディスクを保持するとき、当該第１の記録型光ディスクから暗号化コンテンツ情報及び付加情報を読み出す手段と、前記読み出した暗号化コンテンツ情報及び付加情報を前記配信用記憶装置に書き込む手段とを備えており、前記鍵管理装置としては、前記コンテンツオーサリング装置による書き込み後の第２の記録型光ディスクを保持するとき、当該第２の記録型光ディスクからメディア固有情報、暗号化コンテンツ鍵情報及び付加情報を読み出す手段と、前記読み出したメディア固有情報に基づいて、暗号化コンテンツ鍵情報を復号し、コンテンツ鍵情報を得る手段と、前記コンテンツ鍵情報及び付加情報を前記管理用記憶装置に書き込む手段とを備えたコンテンツ配信システムである。
【００１２】
第２の発明は、第１形式のコンテンツ情報が記録された第１の再生専用光ディスクと、第１形式の広告コンテンツ情報が記録された第２の再生専用光ディスクと、前記第１形式とは異なる第２形式を有する第１乃至第３の記録型光ディスクとを順次又は同時に保持可能であり、記憶装置を備えたコンテンツオーサリング装置に用いられるプログラムであって、前記コンテンツオーサリング装置のコンピュータを、前記第１の再生専用光ディスクを保持しているとき、前記再生専用光ディスクから前記第１形式のコンテンツ情報を読み出すための手段、前記読み出した第１形式のコンテンツ情報を前記記憶装置に書き込む手段、前記記憶装置内の第１形式のコンテンツ情報を変換し、前記第２形式のコンテンツ情報を得る手段、前記第２の再生専用光ディスクを保持しているとき、前記再生専用光ディスクから前記第１形式の広告コンテンツ情報を読み出すための手段、前記読み出した第１形式の広告コンテンツ情報を前記記憶装置に書き込む手段、前記記憶装置内の第１形式の広告コンテンツ情報を変換し、前記第２形式の広告コンテンツ情報を得る手段、暗号化及び復号用のコンテンツ鍵情報を生成する手段、前記コンテンツ鍵情報に基づいて、前記第２形式のコンテンツ情報を暗号化し、暗号化コンテンツ情報を得る手段、前記第１の記録型光ディスクを保持しているとき、前記暗号化コンテンツ情報を当該第１の記録型光ディスクに書き込む手段、前記第２の記録型光ディスクを保持しているとき、前記コンテンツ鍵情報を当該第２の記録型光ディスクのメディア固有情報に基づいて暗号化し、暗号化コンテンツ鍵情報を得る手段、前記暗号化コンテンツ鍵情報を前記第２の記録型光ディスクメディアに書き込む手段、前記第２形式の広告コンテンツ情報を前記第３の記録型光ディスクメディアに書き込む手段、として機能させ、前記第２形式の広告コンテンツ情報は、前記コンテンツ鍵情報に基づいて暗号化されて暗号化広告コンテンツ情報となり、前記暗号化広告コンテンツ情報は、前記暗号化コンテンツ情報に付随して配信される情報であるプログラムである。
【００１３】
（作用）
第１の発明では、コンテンツオーサリング装置が、再生専用光ディスクから読み出した第１形式のコンテンツ情報を変換し、得られた第２形式のコンテンツ情報をコンテンツ鍵情報に基づいて暗号化し、この暗号化コンテンツ情報及び付加情報を第１の記録型光ディスクに書き込む。配信装置は、書き込み後の第１の記録型光ディスクから読み出した暗号化コンテンツ情報及び付加情報を配信用記憶装置に書き込む。これにより、配信装置では、ダウンロード要求に基づいて、配信用記憶装置内の暗号化コンテンツ情報及び付加情報がダウンロード配信可能となる。また、鍵管理装置では、同様に書き込み後の第２の記録型光ディスクからメディア固有情報、暗号化コンテンツ鍵情報及び付加情報を読み出すと、メディア固有情報に基づいて暗号化コンテンツ鍵情報を復号し、得られたコンテンツ鍵情報と、付加情報とを管理用記憶装置に書き込む。これにより、鍵管理装置では、コンテンツを購入した正当な利用者に対し、復号用の暗号化コンテンツ鍵情報及び付加情報を提供できる。
【００１４】
このように、店頭販売用の再生専用光ディスクのコンテンツを記録型光ディスクメディア用に変換して、ダウンロード配信に利用できる。
【００１５】
第２の発明では、第１の発明のコンテンツオーサリング装置において、再生専用光ディスクから読み出した第１形式の広告コンテンツ情報を変換し、得られた第２形式の広告コンテンツ情報を第３の記録型光ディスクに書き込む。これにより、鍵管理装置では、第３の記録型光ディスクから読み出した広告コンテンツ情報を管理用記憶装置内のコンテンツ鍵情報により暗号化し、得られた暗号化広告コンテンツ情報を記録型光ディスクに書込可能となる。また、配信装置では、この記録型光ディスクから読み出した暗号化広告コンテンツ情報を前述した暗号化コンテンツ情報に付随させるように、前回まで付随していた他の暗号化コンテンツ情報と差し替え可能となる。
【００１６】
このように、コンテンツ情報と広告コンテンツ情報とを別々に、同一のコンテンツ鍵情報で暗号化することにより、コンテンツに広告コンテンツが付随する場合、広告コンテンツの差し替えを容易にできる。
【発明の効果】
【００１７】
以上説明したように本発明によれば、店頭販売用の再生専用光ディスクのコンテンツを記録型光ディスクメディア用に変換して、ダウンロード配信に利用できる。また、コンテンツに広告コンテンツが付随する場合、広告コンテンツの差し替えを容易にできる。
【発明を実施するための最良の形態】
【００１８】
以下、本発明の各実施形態について図面を参照しながら説明する。
【００１９】
（第１の実施形態）
図１は本発明の第１の実施形態に係るコンテンツ配信システムの構成を示す模式図である。このコンテンツ配信システムは、コンテンツホルダに用いられるオーサリング装置（コンテンツオーサリング装置）１０、ライセンスセンタに用いられるライセンスセンタ装置（鍵管理装置）２０、及びコンテンツプロバイダに用いられる配信装置３０を備えている。なお、各装置１０〜３０は、ハードウェア構成、又はハードウェアとソフトウェアとの組合せ構成により実現される。ソフトウェアとの組合せ構成の場合、各装置１０〜３０の機能を実現するためのプログラムが記憶媒体又はネットワークから各装置１０〜３０のコンピュータに予めインストールされて実現される。
【００２０】
ここで、オーサリング装置１０は、ＤＶＤパッケージ読出部１１、記憶装置１２、コンテンツ変換部１３、付加情報入力部１４、コンテンツ暗号化部１５、暗号化コンテンツ書込部１６及び暗号化コンテンツ鍵書込部１７を備えている。なお、オーサリング装置１０は、オーサリング専用のＤＶＤレコーダ（ＤＶＤ−video フォーマットをＶＲ フォーマットに変換する機能）を有しており、装置１０の内部で暗号化処理を実行し、コンテンツ鍵Ｋｃを装置１０の外部に出さない特徴がある。
【００２１】
ＤＶＤパッケージ読出部１１は、ＤＶＤ−video形式（第１形式）のコンテンツ情報Ｃ’が記録されたＤＶＤパッケージメディア（ＤＶＤ−ＲＯＭ）１’を着脱自在に保持する機能と、保持したＤＶＤパッケージメディア１’からコンテンツ情報Ｃ’を読み出す機能と、読み出したコンテンツ情報Ｃ’を記憶装置１２に書き込む機能とを備えている。ここで、ＤＶＤ−video形式のコンテンツ情報Ｃ’は、ＤＶＤ−ＲＯＭ（再生専用光ディスク）パッケージメディア用コンテンツと呼んでもよい。
【００２２】
記憶装置１２は、ＤＶＤパッケージ部１１から書込可能で、コンテンツ変換部１３から読出可能なハードウェア資源としての記憶装置であり、ＤＶＤ−video形式のコンテンツ情報Ｃ’が記憶される。
【００２３】
コンテンツ変換部１３は、記憶装置１２内のＤＶＤ−video形式のコンテンツ情報Ｃ’をＶＲ（Video Recording フォーマット）形式に変換し、ＶＲ形式（第２形式）のコンテンツ情報Ｃを得る機能と、得られたコンテンツ情報Ｃをコンテンツ暗号化部１５に送出する機能とをもっている。ここで、ＶＲ形式のコンテンツ情報Ｃは、記録型ＤＶＤ（記録型光ディスク）メディア用コンテンツと呼んでもよい。なお、「記録型」の語は、１回だけ追加記録が可能な「追記型」と、多数回の書き換えが可能な「書換型」とを包含している。また、本明細書中、「光ディスク」の語は、ＤＶＤに限らず、光学的に少なくとも読み取り可能な記憶媒体（例、ＣＤ）であればよい。また、ＤＶＤの語は、現行のＤＶＤ規格によるＤＶＤや現行のＤＶＤ規格との高い互換性をもつＤＶＤ（例、ＨＤ−ＤＶＤ）に限らず、現行のＤＶＤ規格との互換性をほとんどもたないＤＶＤ（例、Blu-ray Disk規格によるＤＶＤ）をも包含している。
【００２４】
付加情報入力部１４は、コンテンツホルダの操作により、許諾情報（コンテンツのコピー条件・再生条件）及び付加情報（コンテンツＩＤ、購入価格など）ｄを作成する機能と、許諾条件及び付加情報ｄをコンテンツ暗号化部１５に入力する機能とをもっている。
【００２５】
コンテンツ暗号化部１５は、付加情報入力部１４から許諾情報及び付加情報ｄを受けると、暗号化及び復号用のコンテンツ鍵情報Ｋｃを生成する機能と、このコンテンツ鍵情報Ｋｃに基づいて、コンテンツ変換部１３から受けたＶＲ形式のコンテンツ情報Ｃを暗号化し、暗号化コンテンツ情報Ｅｎｃ（Ｋｃ，Ｃ）を得る機能と、得られた暗号化コンテンツ情報Ｅｎｃ（Ｋｃ，Ｃ）及び付加情報ｄを暗号化コンテンツ書込部１６に送出する機能とをもっている。
【００２６】
また、コンテンツ暗号化部１５は、ＶＲ形式の記録型ＤＶＤメディア２のメディア固有情報ＩＤｍを暗号化コンテンツ鍵書込部１７から受けると、このメディア固有情報ＩＤｍに基づいて、コンテンツ鍵情報Ｋｃ及び許諾情報を暗号化し、暗号化コンテンツ鍵情報Ｅｎｃ（ＩＤｍ，Ｋｃ）を得る機能と、得られた暗号化コンテンツ鍵情報Ｅｎｃ（ＩＤｍ，Ｋｃ）及び付加情報ｄを暗号化コンテンツ鍵書込部１７に送出する機能とをもっている。ここで、暗号化コンテンツ鍵情報Ｅｎｃ（ＩＤｍ，Ｋｃ）はライセンスと呼んでもよい。
【００２７】
暗号化コンテンツ書込部１６は、ＶＲ形式の記録型ＤＶＤメディア３を着脱自在に保持する機能と、コンテンツ暗号化部１５から受けた暗号化コンテンツ情報Ｅｎｃ（Ｋｃ，Ｃ）及び付加情報ｄを記録型ＤＶＤメディア３に書き込む機能とを備えている。この記録型ＤＶＤメディア３は、暗号化コンテンツ情報Ｅｎｃ（Ｋｃ，Ｃ）及び付加情報ｄの書き込みの後、配信装置３０に配送される。
【００２８】
暗号化コンテンツ鍵書込部１７は、ＶＲ形式の記録型ＤＶＤメディア２を着脱自在に保持する機能と、保持した記録型ＤＶＤメディア２から読み出したメディア固有情報ＩＤｍをコンテンツ暗号化部１５に送出する機能と、コンテンツ暗号化部１５から受けた暗号化コンテンツ鍵情報Ｅｎｃ（ＩＤｍ，Ｋｃ）及び付加情報ｄを記録型ＤＶＤメディア２に書き込む機能とを備えている。この記録型ＤＶＤメディア２は、暗号化コンテンツ鍵情報Ｅｎｃ（ＩＤｍ，Ｋｃ）及び付加情報ｄの書き込みの後、ライセンスセンタ装置２０に配送される。
【００２９】
一方、ライセンスセンタ装置２０は、暗号化コンテンツ読出部２１、暗号化コンテンツ鍵復号部２２及びコンテンツ鍵記憶部（管理用記憶装置）２３を備えている。
【００３０】
ここで、暗号化コンテンツ読出部２１は、オーサリング装置１０による書き込み後の記録型ＤＶＤメディア２を着脱自在に保持する機能と、保持した記録型ＤＶＤメディアからメディア固有情報ＩＤｍ、暗号化コンテンツ鍵情報Ｅｎｃ（ＩＤｍ，Ｋｃ）及び付加情報ｄを読み出す機能と、この付加情報ｄをコンテンツ鍵記憶部２３に書き込む機能と、メディア固有情報ＩＤｍ及び暗号化コンテンツ鍵情報Ｅｎｃ（ＩＤｍ，Ｋｃ）を暗号化コンテンツ鍵復号部２２に送出する機能とをもっている。
【００３１】
暗号化コンテンツ鍵復号部２２は、暗号化コンテンツ読出部２１から受けたメディア固有情報ＩＤｍに基づいて、暗号化コンテンツ鍵情報Ｅｎｃ（ＩＤｍ，Ｋｃ）を復号し、コンテンツ鍵情報Ｋｃ及び許諾情報を得る機能と、このコンテンツ鍵情報Ｋｃ及び許諾情報をコンテンツ鍵記憶部２３内の付加情報ｄに関連付けてコンテンツ鍵記憶部２３に書き込む機能とをもっている。
【００３２】
コンテンツ鍵記憶部２３は、暗号化コンテンツ鍵読出部２１から書込可能で、暗号化コンテンツ鍵記憶部２２から読出／書込可能なハードウェア資源としての記憶装置であり、コンテンツ鍵情報Ｋｃ、許諾情報及び付加情報ｄが記憶される。
【００３３】
配信装置３０は、利用者からのダウンロード要求に基づいて、暗号化コンテンツ記憶部３２内の該当する記憶内容をダウンロード配信可能な装置であり、暗号化コンテンツ読出部３１及び暗号化コンテンツ記憶部（配信用記憶装置）３２を備えている。
【００３４】
ここで、暗号化コンテンツ読出部３１は、オーサリング装置１０による書き込み後の記録型ＤＶＤメディア３を着脱自在に保持する機能と、保持した記録型ＤＶＤメディア３から暗号化コンテンツ情報Ｅｎｃ（Ｋｃ，Ｃ）及び付加情報ｄを読み出す機能と、読み出した暗号化コンテンツ情報Ｅｎｃ（Ｋｃ，Ｃ）及び付加情報ｄを暗号化コンテンツ記憶部３２に書き込む機能とをもっている。
【００３５】
暗号化コンテンツ記憶部３２は、暗号化コンテンツ読出部３１から書込可能で、図示しない配信部から読出可能なハードウェア資源としての記憶装置であり、暗号化コンテンツ情報Ｅｎｃ（Ｋｃ，Ｃ）及び付加情報ｄを暗号化コンテンツ記憶部３２が記憶される。
【００３６】
次に、以上のように構成されたコンテンツ配信システムの動作を図２のシーケンス図を用いて説明する。
【００３７】
オーサリング装置１０においては、ＤＶＤパッケージ読出部１１により、ＤＶＤ−video形式のコンテンツ情報Ｃ’が記録されたＤＶＤパッケージメディア１’を着脱自在に保持し、ＤＶＤパッケージメディア１’からコンテンツ情報Ｃ’を読み出す（ＳＴ１）。読み出したコンテンツ情報Ｃ’は記憶装置１２に書き込まれる。
【００３８】
コンテンツ変換部１３は、記憶装置１２内のＤＶＤ−video形式のコンテンツ情報Ｃ’を変換し（ＳＴ２）、ＶＲ形式のコンテンツ情報Ｃを得る。得られたコンテンツ情報Ｃはコンテンツ暗号化部１５に送出される。
【００３９】
付加情報入力部１４は、コンテンツホルダの操作により、許諾情報（コンテンツのコピー条件・再生条件）及び付加情報（コンテンツＩＤ、購入価格など）ｄを作成し、許諾条件及び付加情報ｄをコンテンツ暗号化部１５に入力する（ＳＴ３）。
【００４０】
コンテンツ暗号化部１５は、許諾情報及び付加情報ｄを受けると、暗号化及び復号用のコンテンツ鍵情報Ｋｃを生成し、このコンテンツ鍵情報Ｋｃに基づいて、コンテンツ変換部１３から受けたＶＲ形式のコンテンツ情報Ｃを暗号化し（ＳＴ４）、暗号化コンテンツ情報Ｅｎｃ（Ｋｃ，Ｃ）を得る。得られた暗号化コンテンツ情報Ｅｎｃ（Ｋｃ，Ｃ）及び付加情報ｄは暗号化コンテンツ書込部１６に送出される。
【００４１】
また、コンテンツ暗号化部１５は、ＶＲ形式の記録型ＤＶＤメディア２から読み出されたメディア固有情報ＩＤｍを暗号化コンテンツ鍵書込部１７から受けると（ＳＴ５）、このメディア固有情報ＩＤｍに基づいて、記録型ＤＶＤメディア２の個々のメディアに依存した形でコンテンツ鍵情報Ｋｃ及び許諾情報を暗号化し（ＳＴ６）、暗号化コンテンツ鍵情報Ｅｎｃ（ＩＤｍ，Ｋｃ）を得る。得られた暗号化コンテンツ鍵情報Ｅｎｃ（ＩＤｍ，Ｋｃ）及び付加情報ｄは暗号化コンテンツ鍵書込部１７に送出される。
【００４２】
暗号化コンテンツ鍵書込部１７は、ＶＲ形式の記録型ＤＶＤメディア２を着脱自在に保持し、コンテンツ暗号化部１５から受けた暗号化コンテンツ鍵情報Ｅｎｃ（ＩＤｍ，Ｋｃ）及び付加情報ｄを記録型ＤＶＤメディア２にコピーして書き込む（ＳＴ７）。書き込み後、この記録型ＤＶＤメディア２は、ライセンスセンタ装置２０に配送される。
【００４３】
暗号化コンテンツ書込部１６は、ＶＲ形式の記録型ＤＶＤメディア３を着脱自在に保持し、コンテンツ暗号化部１５から受けた暗号化コンテンツ情報Ｅｎｃ（Ｋｃ，Ｃ）及び付加情報ｄを記録型ＤＶＤメディア３にコピーして書き込む（ＳＴ８）。書き込み後、この記録型ＤＶＤメディア３は、配信装置３０に配送される。
【００４４】
一方、ライセンスセンタ装置２０においては、ライセンスセンタ員の操作により、配送された記録型ＤＶＤメディア２が暗号化コンテンツ読出部２１が着脱自在に保持される。暗号化コンテンツ読出部２１は、保持した記録型ＤＶＤメディアからメディア固有情報ＩＤｍ、暗号化コンテンツ鍵情報Ｅｎｃ（ＩＤｍ，Ｋｃ）及び付加情報ｄを読み出す（ＳＴ９）。この付加情報ｄはコンテンツ鍵記憶部２３に書き込まれる。メディア固有情報ＩＤｍ及び暗号化コンテンツ鍵情報Ｅｎｃ（ＩＤｍ，Ｋｃ）は暗号化コンテンツ鍵復号部２２に送出される。
【００４５】
暗号化コンテンツ鍵復号部２２は、メディア固有情報ＩＤｍに基づいて、暗号化コンテンツ鍵情報Ｅｎｃ（ＩＤｍ，Ｋｃ）を復号し（ＳＴ１０）、コンテンツ鍵情報Ｋｃ及び許諾情報を得る。このコンテンツ鍵情報Ｋｃ及び許諾情報はコンテンツ鍵記憶部２３内の付加情報ｄに関連付けてコンテンツ鍵記憶部２３に書き込まれて格納される（ＳＴ１１）。
【００４６】
これにより、ライセンスセンタ装置２０では、コンテンツを購入した正当なユーザからのライセンス要求に対し、ユーザの保有するＤＶＤメディアのメディア固有情報ＩＤｍｕによる再暗号化を施してライセンス（コンテンツ復号用の暗号化コンテンツ鍵情報Ｅｎｃ（ＩＤｍｕ，Ｋｃ））を発行できる。
【００４７】
また一方、配信装置３０においては、コンテンツプロバイダの操作により、配送された記録型ＤＶＤメディア３が暗号化コンテンツ読出部３１に保持される。暗号化コンテンツ読出部３１は、保持した記録型ＤＶＤメディア３から暗号化コンテンツ情報Ｅｎｃ（Ｋｃ，Ｃ）及び付加情報ｄを読み出す（ＳＴ１２）。読み出した暗号化コンテンツ情報Ｅｎｃ（Ｋｃ，Ｃ）及び付加情報ｄは暗号化コンテンツ記憶部３２に書き込まれて格納される（ＳＴ１３）。
【００４８】
以下、配信装置３０では、ダウンロード要求に基づいて、暗号化コンテンツ記憶部３２内の暗号化コンテンツ情報Ｅｎｃ（Ｋｃ，Ｃ）及び付加情報ｄがダウンロード配信可能となる。これにより、鍵管理装置では、コンテンツを購入した正当な利用者に対し、復号用の暗号化コンテンツ鍵情報及び付加情報を提供できる。
【００４９】
上述したように本実施形態によれば、オーサリング装置１０により、店頭販売用のＤＶＤ−ＲＯＭのコンテンツを記録型ＤＶＤメディア用に変換して、ダウンロード配信に利用することができる。また、オーサリング装置１０により、ダウンロード販売に必要となる付加情報ｄを付与することができる。
【００５０】
さらに、オーサリング装置１０を用いるコンテンツホルダ、配信装置３０を用いるコンテンツプロバイダ、及びライセンス装置３０を用いるライセンスセンタの三者の間で、２枚の記録型ＤＶＤメディア２，３を配送することにより、暗号化コンテンツやライセンス（暗号化コンテンツ鍵）を配送する。このため、ネットワーク上の伝送とは異なり、盗聴されることなく、暗号化コンテンツ及びライセンスを安全に配送することができる。
【００５１】
（第２の実施形態）
図３は本発明の第２の実施形態に係るコンテンツ配信システムの構成を示す模式図であり、図１と同一部分には同一符号を付してその詳しい説明を省略し、ここでは異なる部分について主に述べる。なお、以下の各実施形態も同様とし、重複した説明を省略する。
【００５２】
すなわち、本実施形態は、第１の実施形態の変形例であり、付加情報ｄを記録型ＤＶＤメディアで配送せず、付加情報ｄをオーサリング装置１０から配信装置３０に登録し、配信装置３０からライセンスセンタ装置２０に送信する構成となっている。
【００５３】
これに伴い、オーサリング装置１０の付加情報入力部１４は、前述した機能において、付加情報ｄの入力先がコンテンツ暗号化部１５に代えて、コンテンツ登録サイト部３３になる。また、コンテンツ暗号化部１５、暗号化コンテンツ書込部１６、暗号化コンテンツ鍵書込部１７及び暗号化コンテンツ読出部２１は付加情報ｄに関する機能が省略される。
【００５４】
ライセンスセンタ装置２０では、付加情報受信部２４が付加される。付加情報受信部２４は、コンテンツ登録サイト部３３から付加情報ｄを受信する機能と、この付加情報ｄをコンテンツ鍵記憶部２３に書き込む機能とを備えたものである。
【００５５】
配信装置３０では、コンテンツ登録サイト部３３が付加される。コンテンツ登録サイト部３３は、オーサリング装置１０の付加情報入力部１４から付加情報ｄをネットワークを介して受け付ける機能と、この付加情報ｄを暗号化コンテンツ記憶部３２に書き込む機能と、暗号化コンテンツ記憶部３２に書き込んだ付加情報ｄをライセンスセンタ装置２０に送信する機能とをもっている。
【００５６】
また、暗号化コンテンツ読出部３１は、保持した記録型ＤＶＤメディア３から暗号化コンテンツ情報Ｅｎｃ（Ｋｃ，Ｃ）を読み出す機能と、読み出した暗号化コンテンツ情報Ｅｎｃ（Ｋｃ，Ｃ）を暗号化コンテンツ記憶部３２内の付加情報ｄに関連付けて暗号化コンテンツ記憶部３２に書き込む機能とをもっている。
【００５７】
次に、以上のように構成されたコンテンツ配信システムの動作を図４のシーケンス図を用いて説明する。
【００５８】
オーサリング装置１０においては、前述した通り、ステップＳＴ１〜ＳＴ２が実行され、ＶＲ形式に変換されたコンテンツ情報Ｃがコンテンツ暗号化部１５に送出される。
【００５９】
続いて、付加情報入力部１４は、コンテンツホルダの操作により、許諾情報（コンテンツのコピー条件・再生条件）及び付加情報（コンテンツＩＤ、購入価格など）ｄを作成し、許諾条件をコンテンツ暗号化部１５に入力する。また、付加情報入力部１４は、コンテンツホルダの操作により、入力された付加情報ｄをコンテンツホルダのコンテンツ登録サイト部３３に登録する（ＳＴ３’、ＳＴ３−２）。
【００６０】
コンテンツ登録サイト部３３は、付加情報入力部１４からネットワークを介して受け付けた付加情報ｄを暗号化コンテンツ記憶部３２に書き込む。また、コンテンツ登録サイト部３３は、暗号化コンテンツ記憶部３２に書き込んだ付加情報ｄをライセンスセンタ装置２０に送信する（ＳＴ３−３）。
【００６１】
ライセンスセンタ装置２０では、付加情報受信部２４が付加情報ｄを受信すると（ＳＴ３−４）、この付加情報ｄをコンテンツ鍵記憶部２３に書き込んで格納する（ＳＴ３−５）。
【００６２】
一方、オーサリング装置１０においては、コンテンツ暗号化部１５が、許諾情報を受けると、暗号化及び復号用のコンテンツ鍵情報Ｋｃを生成し、前述したステップＳＴ４により、得られた暗号化コンテンツ情報Ｅｎｃ（Ｋｃ，Ｃ）を暗号化コンテンツ書込部１６に送出する。
【００６３】
また、コンテンツ暗号化部１５は、前述した通り、ステップＳＴ５〜ＳＴ６により、得られた暗号化コンテンツ鍵情報Ｅｎｃ（ＩＤｍ，Ｋｃ）を暗号化コンテンツ鍵書込部１７に送出する。
【００６４】
暗号化コンテンツ鍵書込部１７は、ＶＲ形式の記録型ＤＶＤメディア２を着脱自在に保持し、コンテンツ暗号化部１５から受けた暗号化コンテンツ鍵情報Ｅｎｃ（ＩＤｍ，Ｋｃ）を記録型ＤＶＤメディア２にコピーして書き込む（ＳＴ７’）。書き込み後、この記録型ＤＶＤメディア２は、ライセンスセンタ装置２０に配送される。
【００６５】
暗号化コンテンツ書込部１６は、ＶＲ形式の記録型ＤＶＤメディア４を着脱自在に保持し、コンテンツ暗号化部１５から受けた暗号化コンテンツ情報Ｅｎｃ（Ｋｃ，Ｃ）を記録型ＤＶＤメディア４にコピーして書き込む（ＳＴ８’）。書き込み後、この記録型ＤＶＤメディア４は、配信装置３０に配送される。
【００６６】
一方、ライセンスセンタ装置２０においては、ライセンスセンタ員の操作により、配送された記録型ＤＶＤメディア２が暗号化コンテンツ読出部２１が着脱自在に保持される。暗号化コンテンツ読出部２１は、保持した記録型ＤＶＤメディアからメディア固有情報ＩＤｍ及び暗号化コンテンツ鍵情報Ｅｎｃ（ＩＤｍ，Ｋｃ）を読み出す（ＳＴ９’）。メディア固有情報ＩＤｍ及び暗号化コンテンツ鍵情報Ｅｎｃ（ＩＤｍ，Ｋｃ）は暗号化コンテンツ鍵復号部２２に送出される。
【００６７】
以下、前述した通り、ライセンスセンタ装置２０では、ステップＳＴ１０〜ＳＴ１１が実行され、復号されたコンテンツ鍵情報Ｋｃ及び許諾情報はコンテンツ鍵記憶部２３内の付加情報ｄに関連付けてコンテンツ鍵記憶部２３に書き込まれて格納される。
【００６８】
また、配信装置３０では、コンテンツプロバイダの操作により、配送された記録型ＤＶＤメディア４が暗号化コンテンツ読出部３１に保持される。暗号化コンテンツ読出部３１は、保持した記録型ＤＶＤメディア４から暗号化コンテンツ情報Ｅｎｃ（Ｋｃ，Ｃ）を読み出す（ＳＴ１２’）。読み出した暗号化コンテンツ情報Ｅｎｃ（Ｋｃ，Ｃ）は、暗号化コンテンツ記憶部３２内の付加情報ｄに関連付けて暗号化コンテンツ記憶部３２に書き込まれて格納される（ＳＴ１３’）。
【００６９】
上述したように本実施形態によれば、付加情報ｄをオーサリング装置１０から配信装置３０に登録し、配信装置３０からライセンスセンタ装置２０に送信する構成に変形しても、第１の実施形態の効果を得ることができる。
【００７０】
また、付加情報ｄを配信装置３０のコンテンツ登録サイト部３３に登録する構成としたので、付加情報ｄを迅速に配信装置３０やライセンスセンタ装置２０に渡すことができ、さらに、付加情報ｄの追加修正を瞬時に行うことができる。
【００７１】
（第３の実施形態）
図５は本発明の第３の実施形態に係るコンテンツ配信システムの構成を示す模式図である。本実施形態は、配信対象の暗号化コンテンツ情報に暗号化広告コンテンツ情報が付随する場合の変形例であり、第１又は第２の実施形態に広告コンテンツに関する機能が付加された構成となっている。但し、説明の簡略化のため、図１又は図３に示した各部１４〜１７，２１，２２，３１，３３は図示を省略している。これは以下の各実施形態も同様である。
【００７２】
ここで、オーサリング装置１０は、前述したＤＶＤパッケージ読出部１１、記憶装置１２及びコンテンツ変換部１３が広告コンテンツ情報（広告コンテンツＩＤadを含む）ａｄ’，ａｄに対してもコンテンツ情報Ｃ’，Ｃと同様に機能する構成となっている。更に、オーサリング装置１０は、対応表・スケジュール作成部１８及び広告コンテンツ書込部１９が付加されている。ＤＶＤパッケージメディア５’は、ＤＶＤ−video形式の広告コンテンツ情報ａｄ’が記録されたＤＶＤ−ＲＯＭである。
【００７３】
対応表・スケジュール作成部１８は、広告コンテンツＩＤadを含むＶＲ形式の広告コンテンツ情報ａｄをコンテンツ変換部１３から受けると、コンテンツホルダの操作により、広告コンテンツＩＤadとコンテンツＩＤとの対応表情報Ｔidを作成する機能と、コンテンツホルダの操作により、差し替えスケジュール情報ｄｓｃを作成する機能と、広告コンテンツ情報ａｄ、対応表情報Ｔid及び差し替えスケジュール情報ｄｓｃを広告コンテンツ書込部１９に送出する機能とをもっている。ここで、差し替えスケジュール情報ｄｓｃは、広告コンテンツＩＤad、コンテンツＩＤ及び広告提供期間を互いに関連付けた情報である。
【００７４】
広告コンテンツ書込部１９は、記録型ＤＶＤメディア６，７を着脱自在に保持する機能と、対応表・スケジュール作成部１８から広告コンテンツ情報ａｄ、対応表情報Ｔid及び差し替えスケジュール情報ｄｓｃを受けると、広告コンテンツ情報ａｄ及び対応表情報Ｔidをライセンスセンタ用の記録型ＤＶＤメディア６に書き込む機能と、差し替えスケジュール情報ｄｓｃを配信装置用の記録型ＤＶＤメディア７に書き込む機能とをもっている。
【００７５】
一方、ライセンスセンタ装置２０は、広告コンテンツ読出部２５及び広告コンテンツ暗号化部２６が付加されている。
【００７６】
広告コンテンツ読出部２５は、ＶＲ形式の記録型ＤＶＤメディア６を着脱自在に保持する機能と、保持した記録型ＤＶＤメディア６から広告コンテンツ情報ａｄ及び対応表情報Ｔidを読み出す機能と、読み出した広告コンテンツ情報ａｄ及び対応表情報Ｔidを広告コンテンツ暗号化部２６に送出する機能とをもっている。
【００７７】
広告コンテンツ暗号化部２６は、ＶＲ形式の記録型ＤＶＤメディア８を着脱自在に保持する機能と、広告コンテンツ読出部２５から広告コンテンツ情報ａｄ及び対応表情報Ｔidを受けると、対応表情報Ｔid内のコンテンツＩＤに基づいて、コンテンツ鍵記憶部２３から対応するコンテンツ鍵情報Ｋｃを読み出す機能と、このコンテンツ鍵情報Ｋｃに基づいて、広告コンテンツ情報ａｄを暗号化し、暗号化広告コンテンツ情報Ｅｎｃ（Ｋｃ，ａｄ）を得る機能と、保持した記録型ＤＶＤメディア８に暗号化広告コンテンツ情報Ｅｎｃ（Ｋｃ，ａｄ）を書き込む機能とをもっている。
【００７８】
また一方、配信装置３０は、暗号化広告コンテンツ読出部３４、スケジュール記憶部３５、暗号化広告コンテンツ記憶部３６、広告差替え部３７が付加されており、配信部３８が図示されている。
【００７９】
ここで、暗号化広告コンテンツ読出部３４は、ＶＲ形式の記録型ＤＶＤメディア７，８を着脱自在に保持する機能と、保持した記録型ＤＶＤメディア７から読み出した差し替えスケジュール情報ｄｓｃをスケジュール記憶部３５に書き込む機能と、保持した記録型ＤＶＤメディア８から読み出した暗号化広告コンテンツ情報Ｅｎｃ（Ｋｃ，ａｄ）を暗号化広告コンテンツ記憶部３６に書き込む機能とをもっている。
【００８０】
スケジュール記憶部３５は、暗号化広告コンテンツ読出部３４から書込可能で、広告差替え部３７から読出可能なハードウェア資源としての記憶装置であり、差し替えスケジュール情報ｄｓｃが記憶される。
【００８１】
暗号化広告コンテンツ記憶部３６は、暗号化広告コンテンツ読出部３４から書込可能で、広告差替え部３７から読出可能なハードウェア資源としての記憶装置であり、暗号化広告コンテンツ情報Ｅｎｃ（Ｋｃ，ａｄ）が記憶される。
【００８２】
広告差替え部３７は、スケジュール記憶部３５から差し替えスケジュール情報ｄｓｃを読み出す機能と、この差し替えスケジュール情報ｄｓｃに基づいて、広告提供期間よりも事前に暗号化コンテンツ記憶部３２から差替え前の暗号化コンテンツ情報Ｅｎｃ（Ｋｃ，Ｃ）を読み出すと共に、暗号化広告コンテンツ記憶部３６から新規の暗号化広告コンテンツ情報Ｅｎｃ（Ｋｃ，ａｄ）を読み出す機能と、暗号化コンテンツ情報Ｅｎｃ（Ｋｃ，Ｃ）の広告領域にある現在の暗号化広告コンテンツ情報を新規の暗号化広告コンテンツ情報Ｅｎｃ（Ｋｃ，ａｄ）に差替える機能と、差替え後の暗号化コンテンツ情報Ｅｎｃ（Ｋｃ，Ｃ）を暗号化コンテンツ記憶部３２に書き込む機能とをもっている。
【００８３】
例えば図６に示すように、差し替えスケジュール情報ｄｓｃに基づいて、暗号化コンテンツ情報Ｅｎｃ（Ｋｃ２，Ｃ２）に連接した広告領域にある現在の暗号化広告コンテンツ情報が新規の暗号化広告コンテンツ情報Ｅｎｃ（Ｋｃ２，ａｄ１），Ｅｎｃ（Ｋｃ２，ａｄ３），Ｅｎｃ（Ｋｃ２，ａｄ４）に差替えられる。
【００８４】
広告領域は、広告コンテンツ挿入用の領域である。各暗号化広告コンテンツ情報Ｅｎｃ（Ｋｃ２，ａｄ１），Ｅｎｃ（Ｋｃ２，ａｄ３），Ｅｎｃ（Ｋｃ２，ａｄ４）は、差替えを容易にする観点から、互いに同じデータ量（ビット長）で生成されている。また、暗号化コンテンツ情報Ｅｎｃ（Ｋｃ２，Ｃ２）及び暗号化広告コンテンツ情報Ｅｎｃ（Ｋｃ２，ａｄ１），Ｅｎｃ（Ｋｃ２，ａｄ３），Ｅｎｃ（Ｋｃ２，ａｄ４）は、互いに同一のコンテンツ鍵情報Ｋｃにより復号可能となっている。なお、暗号化コンテンツ情報Ｅｎｃ（Ｋｃ，Ｃ）及び暗号化広告コンテンツ情報Ｅｎｃ（Ｋｃ，ａｄ）は、正確さの観点からは“暗号化コンテンツ情報Ｅｎｃ（Ｋｃ，ａｄ）‖Ｅｎｃ（Ｋｃ，Ｃ）”のように、Ｅｎｃ（Ｋｃ，ａｄ）‖をＥｎｃ（Ｋｃ，Ｃ）に並べて書いてもよいが、簡略化の観点から“Ｅｎｃ（Ｋｃ，ａｄ）‖”の記載を省略した。ここで記号‖は連接を意味する。
【００８５】
配信部３８は、ダウンロード要求に基づいて、暗号化コンテンツ記憶部３２内の差替え後の暗号化コンテンツ情報Ｅｎｃ（Ｋｃ，Ｃ）及び付加情報ｄをダウンロード配信する機能をもっている。
【００８６】
次に、以上のように構成されたコンテンツ配信システムの動作を図７のシーケンス図を用いて説明する。なお、第１又は第２の実施形態の動作については前述した通りに実行されるので、ここでは、広告コンテンツに関する動作のみ述べる。
【００８７】
オーサリング装置１０においては、ＤＶＤパッケージ読出部１１により、ＤＶＤ−video形式の広告コンテンツ情報ａｄ’が記録されたＤＶＤパッケージメディア５’を着脱自在に保持し、ＤＶＤパッケージメディア５’から広告コンテンツ情報ａｄ’を読み出す（ＳＴ２１）。読み出した広告コンテンツ情報ａｄ’は記憶装置１２に書き込まれる。
【００８８】
コンテンツ変換部１３は、記憶装置１２内のＤＶＤ−video形式の広告コンテンツ情報ａｄ’を変換し（ＳＴ２２）、ＶＲ形式の広告コンテンツ情報ａｄを得る。得られた広告コンテンツ情報ａｄは対応表・スケジュール作成部１８に送出される。
【００８９】
対応表・スケジュール作成部１８は、広告コンテンツ情報ａｄを受けると、コンテンツホルダの操作により、広告コンテンツＩＤadとコンテンツＩＤとの対応表情報Ｔidを作成すると共に、差し替えスケジュール情報ｄｓｃを作成し（ＳＴ２３）、広告コンテンツ情報ａｄ、対応表情報Ｔid及び差し替えスケジュール情報ｄｓｃを広告コンテンツ書込部１９に送出する。
【００９０】
広告コンテンツ書込部１９は、記録型ＤＶＤメディア６，７を順次又は同時に保持し、広告コンテンツ情報ａｄ及び対応表情報Ｔidをライセンスセンタ用の記録型ＤＶＤメディア６にコピーして書き込み（ＳＴ２４）、差し替えスケジュール情報ｄｓｃを配信装置用の記録型ＤＶＤメディア６に書き込む（ＳＴ２５）。
【００９１】
ライセンスセンタ用の記録型ＤＶＤメディア６は、ライセンスセンタ装置２０に配送される。配信装置用の記録型ＤＶＤメディア７は、配信装置３０に配送される。
【００９２】
ライセンスセンタ装置２０では、広告コンテンツ読出部２５が、保持した記録型ＤＶＤメディア６から広告コンテンツ情報ａｄ及び対応表情報Ｔidを読み出すと（ＳＴ２６）、広告コンテンツ情報ａｄ及び対応表情報Ｔidを広告コンテンツ暗号化部２６に送出する。
【００９３】
広告コンテンツ暗号化部２６は、対応表情報Ｔid内のコンテンツＩＤに基づいて、コンテンツ鍵記憶部２３から対応するコンテンツ鍵情報Ｋｃを読み出すと、このコンテンツ鍵情報Ｋｃに基づいて、広告コンテンツ情報ａｄを暗号化し（ＳＴ２７）、暗号化広告コンテンツ情報Ｅｎｃ（Ｋｃ，ａｄ）を得る。なお、ライセンスセンタ装置２０は、コンテンツプロバイダの配信装置３０がコンテンツ鍵Ｋｃを管理しないことから、後で広告を差し替えるために、新しい広告コンテンツ情報ａｄを暗号化している。
【００９４】
また、広告コンテンツ暗号化部２６は、保持した記録型ＤＶＤメディア８に暗号化広告コンテンツ情報Ｅｎｃ（Ｋｃ，ａｄ）をコピーして書き込む（ＳＴ２８）。この記録型ＤＶＤメディア８は、配信装置３０に配送される。
【００９５】
配信装置３０では、暗号化広告コンテンツ読出部３４が、保持した記録型ＤＶＤメディア８から読み出した暗号化広告コンテンツ情報Ｅｎｃ（Ｋｃ，ａｄ）を暗号化広告コンテンツ記憶部３６に書き込んで格納する（ＳＴ２９，ＳＴ３０）。
【００９６】
同様に、暗号化広告コンテンツ読出部３４は、保持した記録型ＤＶＤメディア７から読み出した差し替えスケジュール情報ｄｓｃをスケジュール記憶部３５に書き込んで格納する（ＳＴ３１，ＳＴ３２）。
【００９７】
広告差替え部３７は、スケジュール記憶部３５から差し替えスケジュール情報ｄｓｃを読み出すと、この差し替えスケジュール情報ｄｓｃに基づいて、広告提供期間よりも事前に暗号化コンテンツ記憶部３２から差替え前の暗号化コンテンツ情報Ｅｎｃ（Ｋｃ，Ｃ）を読み出すと共に、暗号化広告コンテンツ記憶部３６から新規の暗号化広告コンテンツ情報Ｅｎｃ（Ｋｃ，ａｄ）を読み出す。
【００９８】
しかる後、広告差替え部３７は、暗号化コンテンツ情報Ｅｎｃ（Ｋｃ，Ｃ）の広告領域にある現在の暗号化広告コンテンツ情報を新規の暗号化広告コンテンツ情報Ｅｎｃ（Ｋｃ，ａｄ）に差替える（ＳＴ３３）。差替え後の暗号化コンテンツ情報Ｅｎｃ（Ｋｃ，Ｃ）は暗号化コンテンツ記憶部３２に書き込まれる。
【００９９】
配信部３８は、利用者からのダウンロード要求に基づいて、暗号化コンテンツ記憶部３２内の差替え後の暗号化コンテンツ情報Ｅｎｃ（Ｋｃ，Ｃ）及び付加情報ｄをダウンロード配信する。言い換えると、配信装置３０は、差し替えスケジュール情報ｄｓｃに従い、広告の差し替え時期の一定時間前の時間がくると、対応する暗号化広告コンテンツ情報と暗号化コンテンツ情報とをマージした暗号化広告付コンテンツ情報を準備する。差し替え時期がくると、現在の暗号化広告付コンテンツ情報を新しくマージした暗号化広告付コンテンツ情報に切り替える。
【０１００】
上述したように本実施形態によれば、第１又は第２の実施形態の効果に加え、コンテンツ情報と広告コンテンツ情報とを別々に、同一のコンテンツ鍵情報で暗号化することにより、コンテンツに広告コンテンツが付随する場合、広告コンテンツの差し替えを容易にできる。また、広告提供期間に応じて適切に広告コンテンツを配信することができる。
【０１０１】
なお、本実施形態は、図８に示すように変形してもよい。すなわち、広告差替え部３７に代えて、構成表差替え部４０及び構成表記憶部４１を備えた構成に変形してもよい。
【０１０２】
ここで、構成表差替え部４０は、スケジュール記憶部３５内の差替えスケジュールｄｓｃに基づいて、広告コンテンツＩＤad及びコンテンツＩＤからなる構成表情報を差し替えて構成表記憶部４１に書き込む。配信部３８は、ダウンロード要求に対し、構成表記憶部４１内の構成表情報に従い、順にコンテンツの構成要素を送信していく。このように、広告コンテンツの差替えは、差し替えスケジュール情報ｄｓｃに従い、構成表情報を変更して行う構成に変形してもよい。これは以下の各実施形態でも同様である。
【０１０３】
（第４の実施形態）
図９は本発明の第４の実施形態に係るコンテンツ配信システムの構成を示す模式図である。本実施形態は、第３の実施形態の変形例であり、広告コンテンツ情報ａｄをオーサリング装置１０からライセンスセンタ装置２０に渡す構成に代えて、広告コンテンツ情報ａｄをオーサリング装置１０から配信装置３０を介してライセンスセンタ装置２０に渡す構成となっている。
【０１０４】
換言すると、コンテンツホルダ（オーサリング装置１０）は広告コンテンツ情報ａｄ、差し替えスケジュール情報ｄｓｃをコンテンツプロバイダ（配信装置３０）に渡す。コンテンツプロバイダは、差し替えスケジュール情報ｄｓｃに従い、広告コンテンツ情報ａｄの対応するコンテンツ鍵情報Ｋｃでの暗号化をライセンスセンタに要求する。後の処理は第３の実施形態と同じ、とした構成である。
【０１０５】
これに伴い、オーサリング装置１０では、対応表・スケジュール作成部１８に代えて、対応表・スケジュール作成部１８から対応表情報Ｔidに関する機能を省略したスケジュール作成部１８ｓを備えている。同様に、広告コンテンツ書込部１９は対応表情報Ｔidに関する機能が省略されている。
【０１０６】
配信装置３０では、読出／書込部４２、広告記憶部４３及び暗号化要求部４４が付加されている。
【０１０７】
ここで、読出／書込部４２は、ＶＲ形式の記録型ＤＶＤメディア７，９を着脱自在に保持する機能と、保持した記録型ＤＶＤメディア９から差し替えスケジュール情報ｄｓｃ及び広告コンテンツ情報ａｄを読み出す機能と、読み出した差し替えスケジュール情報ｄｓｃをスケジュール記憶部３５に書き込む機能と、読み出した広告コンテンツ情報ａｄを広告記憶部４３に書き込む機能と、暗号化要求部４４から受けた広告コンテンツ情報ａｄ及び対応表情報Ｔidを、保持した記録型ＤＶＤメディア７に書き込む機能とをもっている。これに伴い、暗号化広告コンテンツ読出部３４は、前述した機能のうち、差し替えスケジュール情報ｄｓｃに関する機能が省略されている。また、記録型ＤＶＤメディア７は、広告コンテンツ情報ａｄ及び対応表情報Ｔidの書き込みの後、ライセンスセンタ装置２０に配送される。
【０１０８】
広告記憶部４３は、読出／書込部４２から書込可能で、暗号化要求部４４から読出可能なハードウェア資源としての記憶装置であり、広告コンテンツ情報ａｄが記憶される。
【０１０９】
暗号化要求部４４は、スケジュール記憶部３５から差し替えスケジュール情報ｄｓｃを読み出す機能と、この差し替えスケジュール情報ｄｓｃに基づいて、広告提供期間よりも事前に広告コンテンツＩＤadとコンテンツＩＤとの対応表情報Ｔidを作成する機能と、広告提供期間よりも事前に広告記憶部４３から新規の広告コンテンツ情報ａｄを読み出す機能と、広告提供期間よりも事前に広告コンテンツ情報ａｄ及び対応表情報Ｔidを読出／書込部４２に送出する機能とをもっている。
【０１１０】
次に、以上のように構成されたコンテンツ配信システムの動作を図１０のシーケンス図を用いて説明する。
【０１１１】
オーサリング装置１０においては、前述した通り、ステップＳＴ２１〜ＳＴ２２が実行され、ＶＲ形式に変換された広告コンテンツ情報ａｄがスケジュール作成部１８ｓに送出される。
【０１１２】
スケジュール作成部１８ｓは、広告コンテンツ情報ａｄを受けると、コンテンツホルダの操作により、差し替えスケジュール情報ｄｓｃを作成し（ＳＴ２３’）、広告コンテンツ情報ａｄ及び差し替えスケジュール情報ｄｓｃを広告コンテンツ書込部１９に送出する。
【０１１３】
広告コンテンツ書込部１９は、ＶＲ形式の記録型ＤＶＤメディア９を保持し、広告コンテンツ情報ａｄ及び差し替えスケジュール情報ｄｓｃを記録型ＤＶＤメディア９にコピーして書き込む（ＳＴ２５’）。  
配信装置用の記録型ＤＶＤメディア９は、配信装置３０に配送される。
【０１１４】
配信装置３０では、読出／書込部４２が、保持した記録型ＤＶＤメディア９から差し替えスケジュール情報ｄｓｃ及び広告コンテンツ情報ａｄを読み出し（ＳＴ３１’）、差し替えスケジュール情報ｄｓｃをスケジュール記憶部３５に書き込むと共に、広告コンテンツ情報ａｄを広告記憶部４３に書き込む（ＳＴ３２’）。
【０１１５】
また、暗号化要求部４４は、スケジュール記憶部３５から差し替えスケジュール情報ｄｓｃを読み出すと、この差し替えスケジュール情報ｄｓｃに基づいて、広告コンテンツ情報ａｄの暗号化を要求するため（ＳＴ３３’）、広告提供期間よりも事前に広告コンテンツＩＤadとコンテンツＩＤとの対応表情報Ｔidを作成し、広告記憶部４３から読み出した新規の広告コンテンツ情報ａｄと、作成した対応表情報Ｔidとを読出／書込部４２に送出する。
【０１１６】
読出／書込部４２は、この広告コンテンツ情報ａｄ及び対応表情報Ｔidを、保持した記録型ＤＶＤメディア７に書き込む。記録型ＤＶＤメディア７は、この書き込みの後、ライセンスセンタ装置２０に配送される。  
以下、前述した通り、ステップＳＴ２６以降の動作が実行される。
【０１１７】
上述したように本実施形態によれば、広告コンテンツ情報ａｄをオーサリング装置１０から配信装置３０を介してライセンスセンタ装置２０に渡す構成としても、第３の実施形態と同様の効果を得ることができる。
【０１１８】
なお、本実施形態は、前述同様に図１１に示すように、広告差替え部３７に代えて、構成表差替え部４０及び構成表記憶部４１を備えた構成に変形してもよい。
【０１１９】
（第５の実施形態）
図１２は本発明の第５の実施形態に係るコンテンツ配信システムの構成を示す模式図である。本実施形態は、第３の実施形態の変形例であり、暗号化広告コンテンツ情報Ｅｎｃ（Ｋｃ，ａｄ）をライセンスセンタ装置２０から配信装置３０に渡す構成に代えて、暗号化広告コンテンツ情報Ｅｎｃ（Ｋｃ，ａｄ）をライセンスセンタ装置２０からオーサリング装置１０を介して配信装置３０に渡す構成となっている。
【０１２０】
換言すると、コンテンツホルダ（オーサリング装置１０）は、広告コンテンツ情報ａｄをライセンスセンタに渡し、ライセンスセンタから暗号化広告コンテンツ情報Ｅｎｃ（Ｋｃ，ａｄ）を受け取る。コンテンツホルダは、暗号化広告コンテンツ情報Ｅｎｃ（Ｋｃ，ａｄ）、差し替えスケジュール情報ｄｓｃをコンテンツプロバイダ（配信装置３０）に渡す。後の処理は第３の実施形態と同じ、とした構成である。
【０１２１】
各装置１０〜３０の機能は、第３の実施形態と同様である。但し、暗号化広告コンテンツ情報Ｅｎｃ（Ｋｃ，ａｄ）の配送経路が異なっている。
【０１２２】
次に、以上のように構成されたコンテンツ配信システムの動作を図１３のシーケンス図を用いて説明する。
【０１２３】
オーサリング装置１０においては、前述した通り、ステップＳＴ２１〜ＳＴ２４が実行され、広告コンテンツ情報ａｄ及び対応表情報Ｔidがライセンスセンタ用の記録型ＤＶＤメディア６にコピーして書き込まれる（ＳＴ２４）。但し、ステップＳＴ２５（差し替えスケジュール情報ｄｓｃのＤＶＤへの書き込み）は行われない。
【０１２４】
ライセンスセンタ用の記録型ＤＶＤメディア６は、ライセンスセンタ装置２０に配送される。ライセンスセンタ装置２０では、前述した通り、ステップＳＴ２６〜ＳＴ２８が実行され、記録型ＤＶＤメディア９に暗号化広告コンテンツ情報Ｅｎｃ（Ｋｃ，ａｄ）がコピーして書き込まれる（ＳＴ２８）。この記録型ＤＶＤメディア９は、第３の実施形態とは異なり、オーサリング装置１０に配送される。
【０１２５】
オーサリング装置１０では、この記録型ＤＶＤメディア９に差し替えスケジュール情報ｄｓｃがコピーして書き込まれる（ＳＴ２５’）。しかる後、記録型ＤＶＤメディア９は配送装置３０に配送される。
【０１２６】
配信装置３０では、暗号化広告コンテンツ読出部３４が、保持した記録型ＤＶＤメディア８から暗号化広告コンテンツ情報Ｅｎｃ（Ｋｃ，ａｄ）及び差し替えスケジュール情報ｄｓｃを読出し（ＳＴ３１’）、暗号化広告コンテンツ情報Ｅｎｃ（Ｋｃ，ａｄ）を暗号化広告コンテンツ記憶部３６に書き込んで格納すると共に、差し替えスケジュール情報ｄｓｃをスケジュール記憶部３５に書き込んで格納する（ＳＴ３２’）。
【０１２７】
以下、前述した通り、ステップＳＴ３３以降の動作が実行される。
【０１２８】
上述したように本実施形態によれば、暗号化広告コンテンツ情報Ｅｎｃ（Ｋｃ，ａｄ）をライセンスセンタ装置２０からオーサリング装置１０を介して配信装置３０に渡す構成としても、第３の実施形態と同様の効果を得ることができる。
【０１２９】
なお、本実施形態は、前述同様に図１４に示すように、広告差替え部３７に代えて、構成表差替え部４０及び構成表記憶部４１を備えた構成に変形してもよい。
【０１３０】
なお、上記実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【０１３１】
また、この記憶媒体としては、プログラムを記憶でき、かつコンピュータが読み取り可能な記憶媒体であれば、その記憶形式は何れの形態であっても良い。
【０１３２】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が上記実施形態を実現するための各処理の一部を実行しても良い。
【０１３３】
さらに、本発明における記憶媒体は、コンピュータと独立した媒体に限らず、ＬＡＮやインターネット等により伝送されたプログラムをダウンロードして記憶または一時記憶した記憶媒体も含まれる。
【０１３４】
また、記憶媒体は１つに限らず、複数の媒体から上記実施形態における処理が実行される場合も本発明における記憶媒体に含まれ、媒体構成は何れの構成であっても良い。
【０１３５】
尚、本発明におけるコンピュータは、記憶媒体に記憶されたプログラムに基づき、上記実施形態における各処理を実行するものであって、パソコン等の１つからなる装置、複数の装置がネットワーク接続されたシステム等の何れの構成であっても良い。
【０１３６】
また、本発明におけるコンピュータとは、パソコンに限らず、情報処理機器に含まれる演算処理装置、マイコン等も含み、プログラムによって本発明の機能を実現することが可能な機器、装置を総称している。
【０１３７】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。
【図面の簡単な説明】
【０１３８】
【図１】本発明の第１の実施形態に係るコンテンツ配信システムの構成を示す模式図である。
【図２】同実施形態における動作を説明するためのシーケンス図である。
【図３】本発明の第２の実施形態に係るコンテンツ配信システムの構成を示す模式図である。
【図４】同実施形態における動作を説明するためのシーケンス図である。
【図５】本発明の第３の実施形態に係るコンテンツ配信システムの構成を示す模式図である。
【図６】同実施形態における広告差替え部の機能を説明するための模式図である。
【図７】同実施形態における動作を説明するためのシーケンス図である。
【図８】同実施形態における変形例を説明するための模式図である。
【図９】本発明の第４の実施形態に係るコンテンツ配信システムの構成を示す模式図である。
【図１０】同実施形態における動作を説明するためのシーケンス図である。
【図１１】同実施形態における変形例を説明するための模式図である。
【図１２】本発明の第５の実施形態に係るコンテンツ配信システムの構成を示す模式図である。
【図１３】同実施形態における動作を説明するためのシーケンス図である。
【図１４】同実施形態における変形例を説明するための模式図である。
【符号の説明】
【０１３９】
１’，５’…ＤＶＤパッケージメディア、２〜４，６〜９…記録型ＤＶＤメディア、１０…オーサリング装置、１１…ＤＶＤパッケージ読出部、１２…記憶装置、１３…コンテンツ変換部、１４…付加情報入力部、１５…コンテンツ暗号化部、１６…暗号化コンテンツ書込部、１７…暗号化コンテンツ鍵書込部、１８…対応表・スケジュール作成部、１８ｓ…スケジュール作成部、１９…広告コンテンツ書込部、２０…ライセンスセンタ装置、２１…暗号化コンテンツ読出部、２２…暗号化コンテンツ鍵復号部、２３…コンテンツ鍵記憶部、２４…付加情報受信部、２５…広告コンテンツ読出部、２６…広告コンテンツ暗号化部、３０…配信装置、３１…暗号化コンテンツ読出部、３２…暗号化コンテンツ記憶部、３３…コンテンツ登録サイト部、３４…暗号化広告コンテンツ読出部、３５…スケジュール記憶部、３６…暗号化広告コンテンツ記憶部、３７…広告差替え部、３８…配信部、４０…構成表差替え部、４１…構成表記憶部、４２…読出／書込部、４３…広告記憶部、４４…暗号化要求部、Ｃ，Ｃ’…コンテンツ情報、ｄ…付加情報、ＩＤｍ…メディア固有情報、Ｋｃ…コンテンツ鍵情報、ａｄ，ａｄ’…広告コンテンツ情報、Ｔid…対応表情報、ｄｓｃ…差し替えスケジュール情報。
【図１】
2007318618.tif 000003
【図２】
2007318618.tif 000004
【図３】
2007318618.tif 000005
【図４】
2007318618.tif 000006
【図５】
2007318618.tif 000007
【図６】
2007318618.tif 000008
【図７】
2007318618.tif 000009
【図８】
2007318618.tif 000010
【図９】
2007318618.tif 000011
【図１０】
2007318618.tif 000012
【図１１】
2007318618.tif 000013
【図１２】
2007318618.tif 000014
【図１３】
2007318618.tif 000015
【図１４】
2007318618.tif 000016